【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
成形フィルム（２０２）と、蓋フィルム（２０４）と、第１の配列に配置され、前記成形フィルムおよび前記蓋フィルムによって画定された複数のリザーバの異なるリザーバ（２０６）に各錠剤が収容された、第１の複数の錠剤（２１０）とを含み、前記第１に複数の錠剤が複数のリザーバの第１のリザーバ（２０６）に収容された第１の錠剤（２１０）を含む、少なくとも１つのブリスタカード（１０２）の状態を監視するシステムであって、
前記ブリスタカードを第１の位置に配置するように動作するハウジング（１０４）と、
第１のセンサ（６０６−１）を含む第１の複数のセンサ（６０６）を備える第１の検出モジュール（１０８）であって、前記第１のセンサが、（ａ）前記第１のリザーバ内の前記第１の錠剤の存在、および（ｂ）前記蓋フィルムの第１の分配領域（２１２）の物理的状態、の少なくとも１つに基づく第１の電気信号（８０４）を提供するように動作する、第１の検出モジュールと、
前記第１の電気信号に基づいて第１の出力信号（１１２）を提供するように動作する電子機器モジュール（１１０）と、を備え、
前記第１のセンサが、
（ｉ）前記第１の分配領域の物理的状態に基づく第１の静電容量（Ｃ１）を有する第１の静電容量センサ（７００）であって、前記第１の電気信号が前記第１の静電容量に基づく、第１の静電容量センサ（７００）と、
（ｉｉ）前記第１のリザーバ内の前記第１の錠剤の存在に基づく第２の静電容量を有する第２の静電容量センサ（１３０２）であって、前記第１の電気信号が前記第２の静電容量に基づく、第２の静電容量センサ(１３０２)と、
（ｉｉｉ）第１の音響信号を送信する音響送信器（１４０４）と、第２の音響信号の大きさに基づく前記第１の電気信号を提供するように動作する音響受信器（１４０６）と、を含む第１の音響センサ（１４０２）であって、前記音響送信器が前記第１の音響信号を前記第１のリザーバに向けて送信し、前記音響受信器が前記第１のリザーバからの前記第１の音響信号の反射として前記第２の音響信号を受信するように、前記音響センサが配置され、前記第２の音響信号が、前記第１のリザーバが前記第１の錠剤を含有する場合には第１の大きさを有し、前記第１のリザーバが前記第１の錠剤を含有しない場合には第２の大きさを有する、第１の音響センサ（１４０２）と、
（ｉｖ）前記第１のリザーバ及び前記ブリスタカードの少なくとも一方に加えられる力を検出するように動作する第１の触覚センサ（１６０２）と、
（ｖ）前記第１のリザーバから受信した第１の光信号（１７０６）に基づく前記第１の電気信号を提供するように寸法設定および配置された光検出器（１７０４）を含む第１の光センサ（１７０２）であって、前記第１の光信号が周囲光を含む、第１の光センサ（１７０２）と、
からなる群から選択されることを特徴とする、システム。
【請求項２】
第１の電極（６０８）と前記第１の分配領域とが集合的に前記第１のコンデンサを画定し、前記第１の静電容量が、前記第１の分配領域が無損傷の場合に第１の大きさを有し、前記第１の分配領域が破損した場合に第２の大きさを有し、前記第１の電気信号が前記第１の静電容量に基づく、かつ／または、
前記第１のセンサが、第１の電極（６０８）および第２の電極（７０２）を含み、前記第１の電極および前記第２の電極が集合的に第１のコンデンサ（Ｃ１）を画定し、前記第１のコンデンサの静電容量が、前記分配領域と前記第１の電極との間のフリンジ電界に基づく、請求項１に記載のシステム。
【請求項３】
前記第１のセンサが、第１の電極（６０８）と、第２の電極（７０２）と、第３の電極（９０２）とを含み、前記第２の電極および前記第３の電極が集合的に前記第１のコンデンサ（Ｃ６）を画定し、前記第１の電極および前記第２の電極が集合的に、前記分配領域と前記第１の電極との間のフリンジ電界に基づく第２の静電容量を有する第２のコンデンサ（Ｃ１）を画定し、前記第１の静電容量が前記第２の静電容量に基づく、請求項１に記載のシステム。
【請求項４】
第１の平面内で前記第２の電極を実質的に取り囲むシールド線（１１０２）をさらに備え、前記第２の電極が前記第１の電極と前記第３の電極との間にあり、前記第１の電極、前記第３の電極、および前記シールド線が集合的に、前記第２の電極のための電気シールドを画定する、請求項３に記載のシステム。
【請求項５】
前記電子機器モジュールが、前記第１の出力信号を無線信号として提供するように動作する、請求項１に記載のシステム。
【請求項６】
前記システムが、第２の成形フィルムと、第２の蓋フィルムと、第２の配列に配置された第２の複数の錠剤とを含む第２のブリスタカード（１０２−２）の状態を監視するようにさらに動作し、
前記第２の配列に配置された第２の複数のセンサを備える第２の検出モジュール（１９０６−２）であって、第２の複数の電気信号の各電気信号が前記第２の蓋フィルムの異なる分配領域の物理的状態に基づくように、前記第２の複数のセンサの各センサが、前記第２の複数の電気信号の電気信号を提供するように動作する、第２の検出モジュールをさらに備え、
前記電子機器モジュールが、前記第２の複数の電気信号に基づく第２の出力信号を提供するようにさらに動作する、請求項１に記載のシステム。
【請求項７】
成形フィルム（２０２）と、蓋フィルム（２０４）と、第１の配列に配置された複数の錠剤（２１０）とを含むブリスタカード（１０２）の状態を監視する方法であって、
前記第１の配列に配置された複数のセンサ（６０６）を備える検出モジュール（１０８）を提供するステップと、
前記複数のセンサの各センサが前記ブリスタカード内の前記複数の錠剤の異なる錠剤の存在に基づく電気信号（８０４）を提供するように動作するように、前記複数のセンサおよび前記ブリスタカードを動作可能に連結するステップと、
前記複数の電気信号に基づいて前記ブリスタカードの物理的状態を決定するステップと、
前記ブリスタカードの物理的状態を前記ブリスタカードの所期状態と比較するステップであって、前記所期状態が、前記複数の錠剤のための所定の処方投薬計画に基づいている、比較するステップと、
前記所期状態に対する前記ブリスタカードの物理的状態に基づいて出力信号（１１２）を提供するステップと、を含み、
前記複数のセンサが、
（ｉ）前記第１の分配領域の物理的状態に基づく第１の静電容量（Ｃ１）を有する第１の静電容量センサ（７００）であって、前記第１の電気信号が前記第１の静電容量に基づく、第１の静電容量センサ（７００）と、
（ｉｉ）前記第１のリザーバ内の前記第１の錠剤の存在に基づく第２の静電容量を有する第２の静電容量センサ（１３０２）であって、前記第１の電気信号が前記第２の静電容量に基づく、第２の静電容量センサ(１３０２)と、
（ｉｉｉ）第１の音響信号を送信する音響送信器（１４０４）と、第２の音響信号の大きさに基づく前記第１の電気信号を提供するように動作する音響受信器（１４０６）と、を含む第１の音響センサ（１４０２）であって、前記音響送信器が前記第１の音響信号を前記第１のリザーバに向けて送信し、前記音響受信器が前記第１のリザーバからの前記第１の音響信号の反射として前記第２の音響信号を受信するように、前記音響センサが配置され、前記第２の音響信号が、前記第１のリザーバが前記第１の錠剤を含有する場合には第１の大きさを有し、前記第１のリザーバが前記第１の錠剤を含有しない場合には第２の大きさを有する、第１の音響センサ（１４０２）と、
（ｉｖ）前記第１のリザーバ及び前記ブリスタカードの少なくとも一方に加えられる力を検出するように動作する第１の触覚センサ（１６０２）と、
（ｖ）前記第１のリザーバから受信した第１の光信号（１７０６）に基づく前記第１の電気信号を提供するように寸法設定および配置された光検出器（１７０４）を含む第１の光センサ（１７０２）であって、前記第１の光信号が周囲光を含む、第１の光センサ（１７０２）と、
からなる群から選択される第１のセンサを含むように、前記検出モジュールが提供されることを特徴とする、方法。
【請求項８】
前記出力信号が無線信号として提供される、請求項７に記載の方法。
【請求項９】
時間および日付を監視するステップをさらに含み、前記所期状態が、監視された時間および日付に基づく、請求項７に記載の方法。
【請求項１０】
前記物理的状態と前記所期状態とが異なる場合に、エラー信号を開始するステップをさらに含む、請求項７に記載の方法。